(57)【要約】【課題】通信によりＴＶと外部機器との連携をより一層強化し、ユーザの操作性を向上させる機能が注目されている。そこで、さまざまな技術が提供されているが、機器を接続するだけであって機器自体の状態や種類といった情報を取得しＡＶラック自体を制御することはできないという課題がある。さらには、ラックに挿入する電子機器の形状及び端子の配置個所に制約が生じるという課題が存在する。【解決手段】そこで、以下のような課題を解決するために、本発明は、ＡＶラックに搭載する端子に物理アドレスを割り振ったうえで、接続されている電子機器の端子と対応させて制御することを特徴とする本発明を提供する。【選択図】図1
2009122611.tif 000002
【特許請求の範囲】
【請求項１】
複数の電子機器の収納スペースと、
収納スペースごとに配置されるべき電子機器が操作信号の送受信に利用するＩＤの識別と関連付けられた通信接続部と、
前記通信接続部のコネクトＩＤと、そのコネクトＩＤを利用する電子機器を識別する電子機器ＩＤと、を関連付けて保持する電子機器ＩＤ保持部と、
操作信号取得部と、
電子機器ＩＤと関連付けられた機器選択信号を取得する機器選択信号取得部と、
取得した機器選択信号に関連付けられている電子機器ＩＤをキーとして電子機器ＩＤ保持部を検索し、操作信号の送信先となる通信接続部のコネクトＩＤを、取得して保持する通信コネクトＩＤ取得保持部と、
保持されているコネクトＩＤに対して送信すべき操作信号を受信する電子機器操作信号取得部と、
を有するＡＶラックシステム。
【請求項２】
通信接続部に接続された電子機器から機器種別を少なくとも含む機器情報を電子機器ＩＤと関連付けて取得する機器情報取得部と、
取得した機器情報と、電子機器ＩＤとを関連付けて保持する機器情報保持部と、をさらに有し、
機器選択信号取得部は、
機器情報保持部に保持されている機器情報と関連付けて機器選択情報を取得する機器情報選択手段を有し、
通信コネクトＩＤ取得部は、
機器情報選択手段に選択された機器情報に応じて機器情報保持部から取得する電子機器ＩＤを利用してコネクトＩＤを取得する機器情報コネクトＩＤ取得手段を有する請求項１に記載のＡＶラックシステム。
【請求項３】
収納スペースごとに備えられる収納スペース付属機器と、
収納スペース付属機器の制御端子ＩＤと収納スペースに対応した前記コネクトＩＤとを関連付けて保持する制御端子ＩＤ保持部と、
収納スペース付属機器に対する操作信号を取得する付属機器操作信号取得部と、
コネクトＩＤ取得部が取得したコネクトＩＤと関連付けられている制御端子ＩＤを制御端子ＩＤ保持部から取得して、取得した制御端子ＩＤで識別される制御端子に対して取得した付属機器操作信号を送信する付属機器操作信号送信部と、
をさらに有する請求項１ないし２に記載のいずれかのＡＶラックシステム。
【請求項４】
付属機器操作信号取得部は、
電子機器操作信号に応じて付属機器操作信号を定めた操作信号テーブルを保持する操作信号テーブル保持手段と、
取得した電子機器操作信号に応じて操作信号テーブルから付属機器操作信号を取得するテーブル取得手段と、
を有する請求項１から３に記載のいずれかのＡＶラックシステム。
【請求項５】
前記付属機器は、収納スペースごとの照明装置である請求項２または３に記載のＡＶラックシステム。
【請求項６】
前記付属機器は、収納スペースごとの扉開閉モータである請求項２から４のいずれか一に記載のＡＶラックシステム。
【請求項７】
前記収納スペースに備えられた電子機器とＡＶラックとは、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格に準拠したケーブルで接続され、通信信号はＣＥＣ（Ｃｏｎｓｕｍｅｒ  Ｅｌｅｃｔｒｏｎｉｃｓ  Ｃｏｎｔｒｏｌ）規格に準拠した信号を用いる請求項１から６のいずれかに記載のＡＶラックシステム
【発明の詳細な説明】
【技術分野】
【０００１】
本発明は、ＡＶ機器を収納可能なＡＶラックにおいて、ラックに収納したＡＶ機器をラックに搭載されている物理アドレスを有する端子を介してＴＶと接続することによりＡＶ機器の認識・制御する技術に関する。
【背景技術】
【０００２】
今日、技術の発達に伴って最近では大型テレビや、サラウンドシステムなど、従来では高価であったホームシアターセットが比較的安価で購入することが可能となってきた。それにともない、自宅にホームシアターを構築し、家庭において高画質・高音質でＡＶライフを楽しむユーザが増えてきている。そのなかで、従来通信によりＴＶと外部機器（アンプ、レコーダ、プレーヤなど）との連携をより一層強化し、ユーザの操作性を向上させる機能が注目されている。【０００３】
そこで特許文献１に記載されているように、本体に収納個所を有し、収納個所に電子機器を搭載することが可能なＴＶに関する技術が開示されている。具体的には、ＴＶ本体に設けられている収納個所にアダプタボックスを取り付けた電子機器を挿入することにより電子機器とＴＶ本体とをアダプタボックスを介して接続するという技術である。さらには、特許文献２に記載のようなバスラインとコネクタを搭載しているＡＶラックに関する技術が開示されている。具体的には、ＡＶラックに電子機器を挿入することでバスラインとコネクタとを結線し、バスにより相互に接続された機器が通信を介して連携し動作するという技術である。
【特許文献１】特開２００２−３１４９０３
【特許文献２】平２−２４６４００
【発明の開示】
【発明が解決しようとする課題】
【０００４】
しかし、上記に開示されているＡＶラックシステムには、以下のような課題が存在する。すなわち、上記特許文献に開示されている技術は、機器を接続するだけであって機器自体の状態や種類といった情報を取得しＡＶラック自体を制御することはできないという課題がある。具体的には、ＤＶＤレコーダーが収められている収納個所では、ＤＶＤレコーダーの再生中は収納個所に設置されている扉を閉めて開くことができないようにするなど制御をすることはできないということや、ＡＶラックの扉が閉まっているにもかかわらず、設置されているＤＶＤレコーダー等のディスクトレイＥＪＥＣＴができてしまったりするということである。さらには、ラックに挿入する電子機器の形状及び端子の配置個所に制約が生じるという課題が存在する。
【課題を解決するための手段】
【０００５】
そこで、以下のような課題を解決するために、本発明は、ＡＶラックに搭載する端子に物理アドレスを割り振ったうえで、接続されている電子機器の端子と対応させて制御することを特徴とする。さらには、ＡＶラックに収納している機器の種類、状態に応じてＡＶラックに付属の機器を制御することを特徴とする。【０００６】
第一発明では、複数の電子機器の収納スペースと、収納スペースごとに配置されるべき電子機器が操作信号の送受信に利用するＩＤの識別と関連付けられた通信接続部と、前記通信接続部のコネクトＩＤと、そのコネクトＩＤを利用して電子機器を識別する電子機器ＩＤと、を関連付けて保持する電子機器ＩＤ保持部と、操作信号取得部と、電子機器ＩＤと関連付けられた機器選択信号を取得する機器選択信号取得部と、取得した機器選択信号に関連付けられている電子機器ＩＤをキーとして電子機器ＩＤ保持部を検索し、操作信号の送信先となる通信接続部のコネクトＩＤを、取得して保持する通信コネクトＩＤ取得保持部と、保持されているコネクトＩＤに対して送信すべき操作信号を受信する電子機器操作信号取得部と、を有するＡＶラックシステムを提供する。【０００７】
第二発明では、第一発明を基本とし通信接続部に接続された電子機器から機器種別を少なくとも含む機器情報を電子機器ＩＤと関連付けて取得する機器情報取得部と、電子機器ＩＤと関連付けられた機器選択信号を取得する機器選択信号取得部と、取得した機器情報と、電子機器ＩＤとを関連付けて保持する機器情報保持部と、をさらに有し、機器選択信号取得部は、機器情報保持部に保持されている機器情報と関連付けて機器選択情報を取得する機器情報選択手段を有し、通信コネクトＩＤ取得部は、機器情報選択手段に選択された機器情報に応じて機器情報保持部から取得する電子機器ＩＤを利用してコネクトＩＤを取得する機器情報コネクトＩＤ取得手段をさらに有するＡＶラックシステムを提供する。【０００８】
第三発明では、第一発明もしくは第二発明を基本とし収納スペースごとに備えられる収納スペース付属機器と、収納スペース付属機器の制御端子ＩＤと収納スペースに対応した前記コネクトＩＤとを関連付けて保持する制御端子ＩＤ保持部と、収納スペース付属機器に対する操作信号を取得する付属機器操作信号取得部と、コネクトＩＤ取得部が取得したコネクトＩＤと関連付けられている制御端子ＩＤを制御端子ＩＤ保持部から取得して、取得した制御端子ＩＤで識別される制御端子に対して取得した付属機器操作信号を送信する付属機器操作信号送信部と、をさらに有するＡＶラックシステムを提供する。【０００９】
第四発明では、第一発明から第三発明のいずれかを基本とし、付属機器操作信号取得部は、電子機器操作信号に応じて付属機器操作信号を定めた操作信号テーブルを保持する操作信号テーブル保持手段と、取得した電子機器操作信号に応じて操作信号テーブルから付属機器操作信号を取得するテーブル取得手段と、を有するＡＶラックシステムを提供する。【００１０】
第五発明では、第二発明もしくは第三発明を基本とし付属機器は、収納スペースごとの照明装置であるＡＶラックシステムを提供する。【００１１】
第六発明では、第二発明から第四発明のいずれかを基本とし付属機器は、収納スペースごとの扉開閉モータであるＡＶラックシステムを提供する。【００１２】
第七発明では、第一発明から第六発明のいずれかを基本とし収納スペースに備えられた電子機器とＡＶラックとは、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格に準拠したケーブルで接続され、通信信号はＣＥＣ（Ｃｏｎｓｕｍｅｒ  Ｅｌｅｃｔｒｏｎｉｃｓ  Ｃｏｎｔｒｏｌ）規格に準拠した信号を用いるＡＶラックシステムを提供する。
【発明の効果】
【００１３】
以上のような、構成をとる本発明のＡＶラックシステムによって、例えば、ＡＶラックに収納されている電子機器が好ましくない動作を未然に防ぐことができる。（例えば、ラックの扉が閉まっている状態でディスクトレイを排出するなど）また、ＡＶラックに付属している機器を制御することにより、ＡＶシステムの演出効果を高めることができる。（例えば、プレーヤー再生中には照明を消したり、ディスクトレイ排出時には扉を開いて照明を点灯するなど）  
【発明を実施するための最良の形態】
【００１４】
以下に、図を用いて本発明の実施の形態を説明する。なお、本発明はこれらの実施の形態に何ら限定されるものではなく、その要旨を逸脱しない範囲において、種々なる態様で実施しうる。【００１５】
また、本発明ではHDMI（High Definition Multimedia Interface）規格に準じた CEC（Consumer Electronics Control)のように有線接続又は無線接続によりデジタルインタフェース用信号線により物理的に全ての機器が接続されている形態も含む。【００１６】
なお、実施例１は主に請求項１を、実施例２は主に請求項２を、実施例３は主に請求項３、５、６を、実施例４は主に請求項４について説明する。【００１７】
≪実施例１≫【００１８】
＜概要＞【００１９】
図１は、本実施例のＡＶラックにおける機能と構成の一例を表す図である。本実施例のＡＶラックには４か所の収納スペースが設けられており、収納スペースには電子機器と接続するための通信接続部が備えられている。そして、それぞれの収納スペースには電子機器が収められている（例えば、収納スペース１にはＤＶＤレコーダーが収納スペース２にはＢＤレコーダーという具合である。）さらに、収納スペースに備えられた通信接続部と電子機器の通信接続部はＨＤＭＩといったインターフェースで接続されている。また、通信接続部はラックを形作る壁に通信線が張り巡らされ接続されており、通信接続部に与えられたコネクトＩＤによって操作命令などの送信先をルーティング管理している。【００２０】
本実施例は、収納スペースに収納されている電子機器が保持する電子機器ＩＤと収納スペースに備えられた通信接続部が保持するコネクトＩＤとを関連付けて保持・管理することを特徴としている。さらに、コネクトＩＤを使ってルーティングを行うことによりＡＶラックが受信した操作信号を指定の収納スペースに収納されている電子機器へ送信し、電子機器の操作を行うことができることを特徴としている。
＜機能的構成＞【００２１】
以下に記載するＡＶラックシステムの機能ブロックは、ハードウェア、ソフトウェア、又はハードウェア及びソフトウェアの両方として実現され得る。具体的には、コンピュータを利用するものであれば、ＣＰＵや主メモリ、バスあるいは二次記憶装置（ハードディスクや不揮発性メモリ、ＣＤ−ＲＯＭやＤＶＤ−ＲＯＭなどの記憶メディアとそれらのメディアの読み取りドライブなど）、印刷機器や表示装置、その他の外部周辺装置などのハードウェア構成部やその外部周辺機器用のＩ／Ｏポート、それらのハードウェアを制御するためのドライバプログラムやその他アプリケーションプログラム、情報入力に利用されるユーザインターフェースなどがあげられる。【００２２】
またこれらのハードウェアやソフトウェアは、主メモリ上に展開したプログラムをＣＰＵで演算処理したり、メモリやハードディスク上に保持されているデータや、インターフェースを介して入力されたデータなどを加工、蓄積、出力処理したり、あるいは各ハードウェア構成部の制御を行ったりするために利用される。また、この発明は装置として実現できるのみでなく、方法としても実現可能である。また、このような発明の一部をソフトウェアとして構成することができる。さらに、そのようなソフトウェアをコンピュータに実行させるために用いるソフトウェア製品、及び同製品を固定した記録媒体も、当然この発明の技術的な範囲に含まれる。（本明細書の全体を通じて同様である）【００２３】
以下、本実施例の「ＡＶラック」（０１０１）の構成要件について、図１などを用いて説明する。【００２４】
本実施例の「ＡＶラック」（０１０１）は少なくとも、「収納スペース」と、「通信接続部」と、「電子機器ＩＤ保持部」と、「操作信号取得部」と、「通信コネクトＩＤ取得保持部」と、「電子機器操作信号取得部」と、「機器情報取得部」と、「機器情報保持部」とを有する。さらに、「機器選択信号取得部」は、「機器情報選択手段」を有し、「通信コネクトＩＤ取得部」は、「機器情報コネクトＩＤ取得手段」を有している。【００２５】
「収納スペース」（０１０２）は、複数の電子機器を収納する。図１に示すように、収納スペースは電子機器を収納するスペースである。収納スペースは、さまざまな電子機器を収納することを想定しており、たとえばＤＶＤレコーダーやアンプなど電子機器である。通常、電子機器は平置きであるが、縦置きであってもよい。そして、本実施例における収納スペースは４ヶ所であるが、収納スペースはＡＶラックの形状に応じて何ヶ所あってもよい。さらに、後に詳述するが「収納スペース」（０１０２）は、収納されている電子機器と接続するための「通信接続部」（０１０３）を備えている。【００２６】
「通信接続部」（０１０３）は、収納スペースごとに配置されるべき電子機器が操作信号の送受信に利用するＩＤの識別と関連付けられた外部機器と接続する機能を有する。具体的に「通信接続部」（０１０３）は、「収納スペース」（０１０２）それぞれに備えられており、収納された電子機器と接続するための機能を有する無線受信器や、有線接続可能な端子である。「通信接続部」（０１０３）は収納スペースそれぞれの通信接続部に収納スペースの番号と等しいコネクトＩＤが割り当てられている（例えば、収納スペース１であればコネクトＩＤ＝１、収納スペース２であればコネクトＩＤ＝２という具合である）。後に詳述するが、ＡＶラックは、収納スペースに備えられている端子と、収納されている電子機器の端子とを接続することによりコネクトＩＤと電子機器が持つ電子機器ＩＤとを関連付けて保持することができる。したがって、二つのＩＤを参照することによりどの収納スペースにどのような機器が収納されているかを認識することが可能となるという具合である。ここで、収納スペースの番号とコネクトＩＤは等しい番号として扱う必要は無い。具体的には、あらかじめコネクトＩＤとＡＶラックの収納スペースの番号によって収納スペースが特定できるのであれば、収納スペースの番号とコネクトＩＤは異なる値でもかまわないということである。【００２７】
「電子機器ＩＤ保持部」（０１０４）は、収納スペースごとに配置されるべき電子機器が操作信号の送受信に利用する通信接続部のコネクトＩＤと、そのコネクトＩＤを利用する電子機器を識別する電子機器ＩＤと、を関連付けて保持する機能を有する。具体的には、図１に示すように収納スペースに収納されている電子機器が保持する電子機器ＩＤ（例えば、「収納スペース１」に収納されている機器がもつＩＤである「２１００」や「収納スペース２」に収納されている機器がもつＩＤである「２２００」である。）と、各収納スペースに備えられている端子にあらかじめ割り当てられているコネクトＩＤ（例えば、収納スペース１には「１」、収納スペース２には「２」である。）を関連付けて保存するという具合である。そして、「電子機器ＩＤ保持部」（０１０４）は、下記にて詳述する「通信コネクトＩＤ取得部」（０１０５）によって参照されることとなる。詳細は「通信コネクトＩＤ取得部」（０１０５）で説明する。【００２８】
図２は、実際にコネクトＩＤと電子機器ＩＤを関連付けて保存するデータ構造の一例を示したものである。図２に記載のデータ例は、ＸＭＬ形式で記述されている。本データ構造はＩＤをキーに、コネクトＩＤと電子機器ＩＤが関連付けられて保存されているという具合である。（例えば、「ＩＤ番号」「Ｎｏ1」には「コネクトＩＤ」＝「０１」、「電子機器ＩＤ」＝「２１００」という具合である。）ここで、「ＩＤ番号」はただの通番であって、他構成要件に影響を与えない変数である。【００２９】
「操作信号取得部」（０１０６）は、ユーザが送信する操作信号を受信する。具体的に、本実施例では図１に示すように機器選択信号と電子機器操作信号を含む操作信号を受信する。ここで、操作信号には、機器選択信号と電子機器操作信号以外が含まれていてもよい。例えば、後に詳述するがＡＶラックに備えられている付属機器を操作する命令が含まれていてもよい。さらに、操作信号はＡＶラックが備えるリモコンが送信する信号から取得するだけでなく、ＡＶラックの収納スペースに収められている各電子機器それぞれが備える専用リモコンから送信される信号から操作信号を取得してもよい（例えば、ＤＶＤレコーダーが備える専用リモコンから送信されるＤＶＤレコーダーを操作する操作信号を取得するという具合である）。また、ＡＶラックの収納スペースに収められている各電子機器のいずれか一つの電子機器が受信したリモコン信号（操作信号）を他の電子機器を経由して通信することにより、そのリモコン信号を受信した所望の電子機器が操作信号を取得することとしてもよい（例えば、収納スペースに備えられた電子機器のひとつであるアンプが受信した、ＡＶラックに接続されているテレビ装置を操作する信号を（アンプを経由して）テレビ装置へ送信するという具合である）。【００３０】
図３は、実際に受信する操作信号のデータ構造の一例を示したものである。図３に記載のように操作信号は、ＸＭＬ形式で記述されている。本データ構造は、複数の異なる信号（例えば、機器選択信号と電子機器操作信号）を操作信号として取りまとめた構造をしている。図３に記載の一例を説明すると、操作信号は、機器選択信号と電子機器操作信号と付属機器操作信号から構成されている。機器選択信号は電子機器ＩＤ（ここでは、「２１００」）をデータとして保持している。また、電子機器操作信号は操作内容（ここでは、「再生」）をデータとして保持している。付属機器操作信号は、制御端子ＩＤ（ここでは、「２１９０」）及び制御内容（ここでは、「照明点灯」）をデータとして保持しているという具合である。ここで、上記で述べたように場合に応じて複数の信号を盛り込むことが可能である。なお、本実施例における操作信号は、コネクトＩＤを判別するための機器選択信号と、実際に機器を動作させるための信号が含まれている必要がある。【００３１】
「機器選択信号取得部」（０１０７）は、電子機器ＩＤと関連付けられた機器選択信号を取得する機能を有する。具体的には、「操作信号取得部」（０１０６）において取得された、信号に含まれている機器選択信号を取得する。そして、下記に詳述する「通信コネクトＩＤ取得部」（０１０５）に取得した機器選択信号を引き渡すという具合の動作をする。【００３２】
図４は、実際に操作信号より、機器選択信号を取得するためのプログラムの一例を示したものである。本プログラムは、図３に示す操作信号取得部において取得された操作信号より、機器選択信号を取得する処理を行う。以下、その例である図４に記載のプログラム例の流れは以下のとおりである。まず、操作信号を受信した事を検知する（図４Line３０）。操作信号を受信すると、信号に含まれている電子機器ＩＤの取得を行う（図４Line５０）。そして、取得した電子機器ＩＤを下記に詳述する「通信コネクトＩＤ取得部」（００００）に対してデータの引き渡しを行う（図４Line６０）という具合の動作をする。【００３３】
「通信コネクトＩＤ取得部」（０１０５）は、取得した機器選択信号に関連付けられている電子機器ＩＤをキーとして電子機器ＩＤ保持部を検索し、操作信号の送信先となる通信接続部のコネクトＩＤを、取得して保持する機能を有する。具体的には、まず、「機器選択信号取得部」（０１０７）にて取得した機器選択信号を受信する。ここで受信する機器選択信号とは、具体的に少なくともユーザが操作したい電子機器の電子機器ＩＤが含まれている情報である。次に、「通信コネクトＩＤ取得部」（０１０５）は受信した情報に含まれる電子機器ＩＤを元に「電子機器ＩＤ保持部」（０１０４）を参照する。そして、「通信コネクトＩＤ取得部」（０１０５）は、後の詳述する「電子機器操作信号取得部」（０１０８）が受信する操作信号を配信する先となるコネクトＩＤを特定するという具合である。ここで、受信する機器選択信号は、実施例２以下で詳述するが選択画面に出力されている電子機器ＩＤと関連付けられている任意の番号が含まれる信号（例えば、２１００：１、２２００：２という具合である）であってもよいし、機器を直接的に明示した信号であってもよい（例えば、ＤＶＤレコーダーとか）。【００３４】
図５は、受信した機器選択信号をもとにコネクトＩＤを取得するためのプログラムの一例を示したものである。図５に記載のプログラム例の流れは以下のとおりである。まず、機器選択信号を受信・検知する（図５Line３０）次に、受け取った電子機器ＩＤをキーとして電子機器ＩＤ保持部を参照し、該当するコネクトＩＤを取得する（図５Line５０）という具合の動作をする。そして、取得したコネクトＩＤを保持するという具合の動作をする。【００３５】
「電子機器操作信号取得部」（０１０８）は、保持されているコネクトＩＤに対して送信すべき操作信号を受信する。具体的には、ＡＶラックに収納されている電子機器を実際に操作するための電子機器操作信号を、「操作信号取得部」（０１０７）において受信した操作信号より取得する。ここで、例えば取得する電子機器操作信号とは、ＤＶＤの再生命令や、停止命令などである。【００３６】
図６は、実際に操作信号より、電子機器操作信号を取得するためのプログラムの一例を示したものである。本プログラムは、図３に示す操作信号取得部において取得された操作信号より、電子機器操作信号を取得する処理を行うものである。その例である図６に記載のプログラム例の流れは以下のとおりである。まず、操作信号を受信した事を検知する（図６Line３０）。操作信号を受信すると、信号に含まれている操作内容の取得を行う（図６line５０）という具合の動作をする。【００３７】
＜ハードウェア的構成＞
以下、図７を用いて、本実施例の「ＡＶラック」の機能的な構成要件を、ハードウェアとして実現した際の構成の一例について説明する。【００３８】
図７は、「ＡＶラック」のハードウェア構成の一例を表す概略図である。この図を利用して、本実施例のＡＶラックにおけるそれぞれのハードウェア構成部の働きについて説明する。【００３９】
この図にあるように、「ＡＶラック」は、各種演算処理や制御を行う「ＣＰＵ」（０７０１）と、「主メモリ」（０７０２）とを備えている。また、「ＡＶラック」は、電子機器ＩＤや機器情報などを保存する「記憶装置」（０７０３）や、ユーザから送信される各種情報を取得するための「受信部」（０７０４）なども備えている。そして、これらが、「システムバス」などのデータ通信経路によって相互に接続され、情報の送受信や処理を行う。【００４０】
ここで、ＡＶラックに備えられている収納スペース１にＤＶＤレコーダーを再生しようとする。まずユーザは、操作対象であるＤＶＤレコーダーの電子機器ＩＤや再生操作命令等が含まれる操作信号を送信する。ＡＶラックは、操作信号を「受信部」（０７０４）が受信すると「主メモリ」（０７０２）のワーク領域に展開されている「機器選択信号取得プログラム」（０７０５）を呼び出す。呼び出された「機器選択信号取得プログラム」（０７０５）は、操作信号に含まれる電子機器ＩＤ（ここでは、収納スペース１に収納されたＤＶＤレコーダーの電子機器ＩＤ）を取得する。そして、「通信コネクトＩＤ取得プログラム」（０７０６）に引き渡す。電子機器ＩＤを受けた「通信コネクトＩＤ取得プログラム」（０７０６）は「記憶装置」（０７０３）を参照し、コネクトＩＤの特定を行う。最後に、取得したコネクトＩＤをＡＶラックに引き渡す。【００４１】
コネクトＩＤの特定と同時に、ＡＶラックは「主メモリ」（０７０２）のワーク領域に展開されている「電子機器操作信号取得プログラム」（０７０７）が呼び出される。呼び出された「電子機器操作信号取得プログラム」は、操作信号に含まれる操作命令（ここでは再生命令を取得する）を取得する。そして、取得した操作命令をＡＶラックに引き渡す。【００４２】
ここで、コネクトＩＤの特定と、操作命令の取得の順番は逆であってもかまわない。【００４３】
上記のようにＡＶラックは、コネクトＩＤと、操作命令を引き渡されると、ＡＶラックは特定されたコネクトＩＤに対して操作命令を配信するという具合の処理を行う。そして、操作命令を受けたＤＶＤレコーダーは再生を行うという具合である。【００４４】
＜処理の流れ＞【００４５】
図８は、本実施例のＡＶラックシステムにおける操作信号の受信から操作命令の配信処理までの流れの一例を表すフローチャートである。なお、以下に示すステップは、媒体に記録され、計算機を制御するためのプログラムを構成する処理ステップであってもかまわない。【００４６】
まず、操作信号の受付を受信する（Ｓ０８０１）。操作信号を受信すると、操作信号からコネクトＩＤの特定が行われる（Ｓ０８０２）。続いて操作信号より、電子機器を操作するための操作命令が取得される（Ｓ０８０３）。コネクトＩＤと操作命令が取得されると、取得されたコネクトＩＤに対して操作命令を配信する（Ｓ０８０４）。【００４７】
＜効果の簡単な説明＞【００４８】
本実施例の、ＡＶラックシステムによってＡＶラックに収納された様々な電子機器が収納されている収納スペースと電子機器とを電子機器ＩＤ及びコネクトＩＤと関連付けて管理することができる。したがって、収納スペースに収納されている電子機器を認識することが可能となる。そして、ＡＶラックに操作信号を送信することにより任意の収納スペースに収納されている電子機器を操作することが可能となる。【００４９】
≪実施例２≫【００５０】
＜概要＞【００５１】
本実施例は、図９のように実施例１を基本として、収納スペースに収納されている電子機器の機器情報（例えば、種類やメーカ、型番）を取得し、電子機器ＩＤと関連付けて管理することを特徴としている。さらには、操作する電子機器を機器情報から選択することにより特定し、収納されている電子機器の種類やメーカに依存することなく操作することができることを特徴としている。【００５２】
＜機能的構成＞【００５３】
図９は、本実施例のＡＶラックシステムにおける機能と構成の一例を表す図である。この図にあるように本実施例は、実施例１を基本として「機器情報取得部」（０９０９）と「機器情報保持部」（０９１０）とを新たに有することを特徴としている。また、「機器選択信号取得部」（０９０７）は「機器情報選択手段」（０９１１）を有し、さらに、「通信コネクトＩＤ取得部」（０９０５）は、「機器情報コネクトＩＤ取得手段」（０９１２）を新たに有することを特徴としている。【００５４】
なお、本実施例において実施例１にて説明した構成について詳細な説明は省略し、本実施例において特徴的な箇所についてのみ説明する。【００５５】
「機器情報取得部」（０９０９）は、通信接続部に接続された電子機器から機器種別を少なくとも含む機器情報を電子機器ＩＤと関連付けて取得する機能を有する。具体的には、図９のようにまずＡＶラックと、各収納スペースに収納されている電子機器が収納スペースに備えられている端子を介して疎通を行う。次に、ＡＶラックは収納スペースに収納されているそれぞれの電子機器の情報を電子機器ＩＤとともに取得する。ここで、電子機器の情報とは、電子機器の種類（例えば、ＤＶＤレコーダー、Ｂｌｕ−Ｒａｙ Ｄｉｓｃなど）や、メーカ（電子機器を製造したメーカ）や、型番（電子機器に与えられているメーカ固有の型番）である。そして、後述する「機器情報保持部」（０９１０）に取得した情報を引き渡すといった具合の処理を行う。ここで、機器種別とあわせて接続されている機器の現状態を取得してもよい。さらに、ＤＶＤレコーダーなどのディスクの読み込みが可能な機器について、ディスクローディング情報や、ローディングされているディスクの内容などを取得してもよい。そして、実施例３において詳述するが、「機器情報取得部」（０９０９）は、ＡＶラックに備えられた付属機器についての取得も行う。【００５６】
図１０は、実際に収納されている機器情報を取得するためのプログラムの一例を示したものである。図１０に記載のプログラム例は、以下のように動作するように記述されている。まず、図９に記載のように収納スペース１の端子にＤＶＤレコーダーを接続すると仮定する。すると、図１０Line３０のようにプログラムは電子機器の接続を検知する。次に接続を検知すると、図１０Line５０のように接続があった収納スペースのＩＤが取得される。（ここでは、収納スペース１なので「Ｎｏ1」）そして、図１０Line６０、７０のように、取得したＩＤをキーに、電子機器ＩＤと電子機器情報が取得される。（ここでは、「電子機器ＩＤ」＝「２１００」、「電子機器情報」＝「ＤＶＤレコーダー」という具合である）【００５７】
「機器情報保持部」（０９１０）は、取得した機器情報と、電子機器ＩＤとを関連付けて保持する機能を有する。具体的には、図９に示すように「機器情報取得部」（０９０９）において取得された、電子機器ＩＤ及び電子機器の情報を記録し保存する具合である。また、「機器情報保持部」（０９１０）は、上記「電子機器ＩＤ保持部」（０９０４）とともに下記で詳述する「機器情報コネクトＩＤ取得手段」（０９１２）によって参照される。詳細は「機器情報コネクトＩＤ取得手段」（０９１２）で説明する。【００５８】
図１１は、実際に電子機器ＩＤと機器情報とを関連づけて保存するデータ構造の一例を示したものである。ここで、保存されるデータは機器情報取得部において取得されたデータである。図１１に記載のデータ例は、ＸＭＬ形式で記述されている。本データはＩＤをキーに、「電子機器ＩＤ」と「機器情報」を関連付けられた構造をとる。（例えば、「ＩＤ番号」「Ｎｏ1」には「電子機器ＩＤ」＝「２１００」、「機器情報」＝「ＤＶＤレコーダー」という具合である。）ここで、「ＩＤ番号」はただの通番であって、他構成要件に影響を与えない変数である。【００５９】
「機器情報選択手段」（０９１２）は、機器情報保持部に保持されている機器情報と関連付けて機器選択情報を取得する。具体的には、図１２のように、まず「機器情報保持部」（０９１０）に保持されている機器情報の一覧を選択画面としてＴＶ等に出力させる。次に、ユーザは選択画面に出力されている機器情報を選択する（例えば、出力されている「ＤＶＤレコーダー」を選択する）。そして、「機器情報選択手段」（０９１１）は、ユーザが選択した機器情報を後述する「機器情報コネクトＩＤ取得手段」（０９１２）に引き渡すという具合の処理を行う。ここで、選択画面は機器情報を選択することによって機器を選択してもよいし、機器に関連付けられた番号を入力することによって機器を選択してもよい。さらには、選択画面自体を携帯電話やリモコンの画面にネットワーク等を介して出力させてもよい。【００６０】
「機器情報コネクトＩＤ取得手段」（０９１２）は、機器情報選択手段に選択された機器情報に応じて機器情報保持部から取得する電子機器ＩＤを利用してコネクトＩＤを取得する。具体的にまず、「機器情報コネクトＩＤ取得手段」（０９１２）は上記「機器情報選択手段」（０９１１）において取得された機器情報を受け取る。次に、「機器情報コネクトＩＤ取得手段」（０９１２）は受け取った機器情報をキーに、上記「機器情報保持部」（０９１０）を参照し電子機器ＩＤを取得する。そして、「機器情報コネクトＩＤ取得手段」（０９１２）は取得した電子機器ＩＤをキーに「電子機器ＩＤ保持部」（０９０４）を参照し通信コネクトＩＤを取得・特定するという具合である。【００６１】
図１３は、実際に受け取った機器情報を元にコネクトＩＤを取得するプログラムの一例を示したものである。図１３に記載のプログラム例は、以下のように動作するように記述されている。まず、上記「機器情報選択手段」（０９１１）より機器情報が引き渡されたと仮定する。すると、本プログラムは図１３Line３０のように機器情報の引き渡しを検知する。次に、機器情報の受信を行うと、図１３Line５０のように機器情報の取得が行われる（例えば、「ＤＶＤレコーダー」など）。そして、図１３Line６０のように取得した機器情報をキーに、機器情報保持部を参照し電子機器ＩＤを取得する（機器情報＝「ＤＶＤレコーダー」なら、電子機器ＩＤ＝２１００が取得される）。さらに、図１３Line７０のように取得した電子機器ＩＤをコネクトＩＤ取得プログラムに引き渡し、コネクトＩＤの取得を行う。ここで、コネクトＩＤを取得する通信コネクトＩＤ取得プログラムは、実施例１で詳細な説明済みであるのでここでは省略する。【００６２】
＜ハードウェア構成＞【００６３】
図１４は、本実施例のＡＶラックシステムにおけるハードウェア構成の一例を表す図である。この図を利用して、本実施例に特徴的な処理について説明する。この図にあるように「ＡＶラックシステム」は実施例１と同様に各種演算処理や制御を行う「ＣＰＵ」（１４０１）と、「主メモリ」（１４０２）と「記憶装置」（１４０３）と「受信部」（１４０４）を備えている。【００６４】
ここで、ユーザが先に追加したＤＶＤレコーダーを操作しようとすると仮定する。まず、「主メモリ」（１４０２）のワーク領域に展開されている「機器情報取得プログラム」（１４０７）が呼び出される。呼び出された「機器情報取得プログラム」（１４０８）は、ＡＶラックシステムに接続されている電子機器の情報を取得し、「記憶装置」（１４０３）に保存・更新する。そして、「機器情報取得プログラム」（１４０８）は、「記憶装置」（１４０９）より機器情報を取得し、図１２のように選択画面を出力する。【００６５】
ここで、ユーザは出力されている選択画面を確認し、ＤＶＤレコーダーを選択したと仮定する。ユーザが選択画面からＤＶＤレコーダーを選択すると「通信コネクトＩＤ取得プログラム」（１４０６）がワーク領域より呼び出される。呼び出された「通信コネクトＩＤ取得プログラム」（１４０６）は、「記憶装置」（１４０９）より電子機器ＩＤを取得する。そして、コネクトＩＤの取得・特定を行う。そして、コネクトＩＤをＡＶラックに引き渡す。【００６６】
ここで、ユーザは機器情報を選択後、引き続いてＤＶＤレコーダーの操作をする（例えば、ＤＶＤレコーダーの再生ボタンを押すなど）すると、「受信部」（１４０４）は、操作信号を受信する。操作信号を受信すると、「主メモリ」（１４０２）のワーク領域に展開されている「電子機器操作信号取得プログラム」（１４０７）が呼び出される。呼び出された「電子機器操作信号取得プログラム」は、操作信号に含まれる操作命令（ここでは再生命令を取得する）を取得する。そして、取得した操作命令をＡＶラックに引き渡す。【００６７】
＜処理の流れ＞【００６８】
図１５は、本実施例のＡＶラックシステムにおける、選択画面の出力から操作命令の配信処理まで流れの一例を表すフローチャートである。なお、以下に示すステップは、媒体に記録され、計算機を制御するためのプログラムを構成する処理ステップであってもかまわない。【００６９】
まず、ＡＶラックに接続されている電子機器の機器情報の取得を行う（Ｓ１５０１）。そして機器情報を取得すると機器情報の一覧を表示する選択画面の出力を行う（Ｓ１５０２）。ユーザは、選択画面に出力されている機器情報の選択を行う（Ｓ１５０３）。機器情報が選択されたことを検知すると（Ｓ１５０４）と、選択された機器情報をもとに機器情報に該当する電子機器ＩＤの取得が行われる（Ｓ１５０５）。そして、電子機器ＩＤが取得されると、電子機器ＩＤを元に該当するコネクトＩＤの特定が行われる（Ｓ１５０６）。【００７０】
コネクトＩＤの特定が行われると、操作信号の受付を行う。操作信号を検知する（Ｓ１５０７）と、操作命令の取得が行われる（Ｓ１５０８）。そして、操作命令が取得されると、前記取得されたコネクトＩＤに対して、操作命令を配信する（Ｓ１５０９）。【００７１】
＜効果の簡単な説明＞【００７２】
本実施例の、ＡＶラックシステムによってＡＶラックに収納された様々な電子機器をＴＶ等に出力された選択画面より電子機器を選択することによって操作可能となる。したがって、異なるメーカ、異なる機種の様々な電子機器の組み合わせに対応することが可能となる。【００７３】
≪実施例３≫【００７４】
＜概要＞【００７５】
本実施例は、実施例１ないし実施例２を基本として、各収納スペースに付属機器を備えることを特徴としている。さらに付属機器は付属機器が有する制御端子ＩＤとコネクトＩＤと関連付けられて保存されていることを特徴としている。さらには、付属機器を付属機器操作信号により付属機器を操作可能であることを特徴とする。【００７６】
＜機能的構成＞【００７７】
図１６は、本実施例のＡＶラックシステムにおける機能と構成の一例を表す図である。本実施例は、実施例１及び実施例２を基本とする２種類が存在するが、ここでは実施例２を基本とする実施例についてのみ説明する。【００７８】
この図にあるように本実施例は、実施例２を基本として、「収納スペース付属機器」（１６１３）と「制御端子ＩＤ保持部」（１６１４）と「付属機器操作信号取得部」（１６１５）と「付属機器操作信号送信部」（１６１６）を新たに有することを特徴としている。さらに、「収納スペース付属機器」（１６１３）として、収納スペース１には「自動開閉扉」と収納スペース４には「照明」が備えられていることを特徴とする。【００７９】
なお、本実施例において実施例２にて説明した構成について詳細な説明は省略し、本実施例において特徴的な箇所についてのみ説明する。【００８０】
「収納スペース付属機器」（１６１３）は収納スペースごとに備えられるＡＶラックシステムの付属機器である。具体的には、各収納スペースに備えられた照明や、自動開閉可能な扉や、収納スペースに収納されている電子機器の状態等を表示するための表示パネルなどである。例えば、本実施例では、収納スペース１には自動開閉扉、収納スペース４には照明が備えられている。ここで、収納スペースの照明は点灯・消灯だけでなく照明の色をその都度変更することができる事としてもよい。さらに、あわせて照明の明るさを変えることができてもよい。次に、自動開閉扉は、プラスチックやガラスなどの材質を用いた扉であってもよい。さらに扉の開閉形式は左右開閉だけでなく上下開閉であってもよい。次に、表示パネルは電光掲示の形でもよくまた、液晶画面をもちいた表示パネルであってもよい。さらに、表示パネルに表示される内容は、電子機器の状態（例えば、再生中、停止中など）を表示させてもよいし、電子機器が再生しているコンテンツの内容（ＤＶＤのタイトル名や、再生中のビデオのタイトル名など）などを表示させてもよい。【００８１】
「制御端子ＩＤ保持部」（１６１４）とは、収納スペース付属機器の制御端子ＩＤと収納スペースに対応した前記コネクトＩＤとを関連付けて保持する機能を有する。具体的には、図１６に示すように収納スペースに備えられている付属機器が保持する制御端子ＩＤ（たとえば、「収納スペース１」に備えられている付属機器が持つＩＤである「２１００１」や「収納スペース２」に備えられている付属機器が持つＩＤである「２２００１」である。）と各収納スペースに備えられているコネクトＩＤ（例えば、収納スペース１には「１」、収納スペース２には「２」である。）を関連付けて保存するという具合である。そして、「制御端子ＩＤ保持部」（１６１４）は、下記で詳述する「付属機器操作信号送信部」（１６１６）によって、取得した付属機器操作信号を送信するために参照されることとなる。詳細は「付属機器操作信号送信部」（１６１５）で説明する。【００８２】
図１７は、実際にコネクトＩＤと制御端子ＩＤを関連付けて保存するデータ構造の一例を示したものである。図１７に記載のデータ例は、ＸＭＬ形式で記述されている。本データ構造はＩＤ番号をキーに、コネクトＩＤと制御端子ＩＤが関連付けられて保存されているという具合である。（例えば、「ＩＤ番号」「Ｎｏ1」には「コネクトＩＤ」＝「０１」、「制御端子ＩＤ」＝「２１００１」という具合である。）ここで、「ＩＤ番号」はただの通番であって、他構成要件に影響を与えない変数である。【００８３】
「付属機器操作信号取得部」（１６１５）とは収納スペース付属機器に対する操作信号を取得する機能を有する。具体的には、ＡＶラックの収納スペースに備えられている付属機器を操作するための付属機器操作信号を「操作信号取得部」（１６０６）において受信した操作信号より取得する。ここで、例えば取得する付属機器操作信号とは、収納スペースに備えられている自動開閉扉の開閉命令や照明の点灯・消灯命令などである。【００８４】
図１８は、実際に操作信号より、付属機器操作信号を取得するためのプログラムの一例を示したものである。本プログラムは、図３に示す操作信号取得部において取得された操作信号より、付属機器操作信号を取得する処理を行うものである。その例である、図１８に記載のプログラム例の流れは以下のとおりである。操作信号を受信した事を検知する（図１８Line３０）。操作信号を受信すると、信号に含まれている付属機器操作信号の取得を行う（図１８line５０、line６０）。そして、取得した付属機器操作信号を付属機器送信プログラムに引き渡す（図１８line７０）という具合の動作をする。【００８５】
「付属機器操作信号送信部」（１６１６）とは通信コネクトＩＤ取得部が取得したコネクトＩＤと関連付けられている制御端子ＩＤを制御端子ＩＤ保持部から取得して、取得した制御端子ＩＤで識別される付属機器に対して取得した付属機器操作信号を送信する機能を有する。具体的には、まず、上記「付属機器操作信号取得部」（１６１５）において取得された付属機器操作信号に含まれる電子機器ＩＤをもとに電子機器ＩＤ保持部を参照し、コネクトＩＤの特定を行う。次に、コネクトＩＤが特定されると特定されたコネクトＩＤを元に制御端子ＩＤを取得する。そして、特定された制御端子ＩＤを持つ付属機器に対して付属機器操作信号を送信するという具合である。【００８６】
図１９は、実際に取得した電子機器ＩＤより制御端子ＩＤを特定し、特定された制御端子ＩＤを持つ付属機器に対して付属機器操作信号を送信するためのプログラムの一例を示したものである。その例である、図１９に記載のプログラム例の流れは以下のとおりである。まず、付属機器操作信号を受信・検知する（図１９Line３０）次に、受け取った電子機器ＩＤを元に制御端子ＩＤを取得する。（図１９Line５０、６０）そして、取得した制御端子ＩＤが指し示す付属機器に対して、操作命令を送信するという具合の動作をする。（図１９Line７０）【００８７】
＜ハードウェア構成＞【００８８】
図２０は、本実施例のＡＶラックシステムにおけるハードウェア構成の一例を表す図である。この図を利用して、本実施例に特徴的な処理について説明する。この図にあるように本実施例のＡＶラックシステムは実施例１と同様に各種演算処理や制御を行う「ＣＰＵ」（２００１）と、「主メモリ」（２００２）と「記憶装置」（２００３）と「受信部」（２００４）を備えている。【００８９】
ここで、図１６に示している収納スペース１に備えられている付属機器１である自動開閉扉の操作をすると仮定する。まずユーザは、操作対象である自動開閉扉を操作するための付属機器操作信号等を含む操作信号を送信する。ここで、付属機器操作信号は、付属機器１の自動開閉扉を操作するための付属機器操作命令等を含む信号である。次に、ＡＶラックは、操作信号を「受信部」（２００４）が受信すると「主メモリ」（２００２）のワーク領域に展開されている「付属機器操作信号取得プログラム」（２０１０）を呼び出す。呼び出された「付属機器操作信号取得プログラム」（２０１０）は、操作信号に含まれる付属機器操作命令を取得する。そして、取得した情報を「通信コネクトＩＤ取得プログラム」（２００６）に引き渡す。取得した情報を受けた「通信コネクトＩＤ取得プログラム」（２００６）は、「記憶装置」（２００３）を参照しコネクトＩＤの特定を行う。そして、コネクトＩＤと付属機器操作命令を「付属機器操作信号送信プログラム」（２０１１）に引き渡す。
取得した情報を受けた「付属機器操作信号送信プログラム」（２０１１）は「記憶装置」（２０１２）を参照し、制御端子ＩＤの特定を行う。最後に、取得した制御端子ＩＤと受信した付属機器操作命令をＡＶラックに引き渡し、自動開閉扉の操作を実際に行うという具合である。【００９０】
次に、収納スペース４に備えられている付属機器４である照明を操作すると仮定する。まずユーザは、操作対象である照明を操作するための付属機器操作信号等を含む操作信号を送信する。ここで、付属機器操作信号は、付属機器４の照明を操作するための付属機器操作命令等を含む信号である。次に、ＡＶラックは、操作信号を「受信部」（２００４）が受信すると「主メモリ」（２００２）のワーク領域に展開されている「付属機器操作信号取得プログラム」（２０１０）を呼び出す。呼び出された「付属機器操作信号取得プログラム」（２０１０）は、操作信号に含まれる付属機器操作命令を取得する。そして、取得した情報を「通信コネクトＩＤ取得プログラム」（２００６）に引き渡す。取得した情報を受けた「通信コネクトＩＤ取得プログラム」（２００６）は、「記憶装置」（２００３）を参照しコネクトＩＤの特定を行う。そして、コネクトＩＤと付属機器操作信号を「付属機器操作信号送信プログラム」（２０１１）に引き渡す。取得した情報を受けた「付属機器操作信号送信プログラム」（２０１１）は「記憶装置」（２０１２）を参照し、制御端子ＩＤの特定を行う。最後に、取得した制御端子ＩＤと受信した付属機器操作命令をＡＶラックに引き渡し、照明の操作を実際に行うという具合である。【００９１】
＜処理の流れ＞【００９２】
図２１は、本実施例のＡＶラックシステムにおける、操作信号の受信から付属機器操作命令の配信処理まで流れの一例を表すフローチャートである。なお、以下に示すステップは、媒体に記録され、計算機を制御するためのプログラムを構成する処理ステップであってもかまわない。【００９３】
まず、ＡＶラックが操作信号を受信する（Ｓ２１０１）。操作信号を受信すると、操作信号の判別が行われる（Ｓ２１０２、Ｓ２１０３）。ここで、操作信号が電子機器を操作する信号である場合、電子機器に該当する電子機器ＩＤの取得が行われる（Ｓ２１０４）。そして、電子機器ＩＤが取得されると、電子機器ＩＤを元に該当するコネクトＩＤの特定が行われる（Ｓ２１０５）。さらに、電子機器操作命令が取得される（Ｓ２１０６）。最後に、特定されたコネクトＩＤに対して電子機器操作命令を配信する。（Ｓ２１０７）次に、操作信号が付属機器操作信号である場合、付属機器に該当する制御端子ＩＤの取得が行われる（Ｓ２１０８）。そして、制御端子ＩＤが取得されると、付属機器操作命令の取得が行われる（Ｓ２１０９）。最後に、付属機器操作命令が取得されると制御端子ＩＤが示す付属機器に対して取得した付属機器操作命令の配信を行う（Ｓ２１１０）。【００９４】
＜効果の簡単な説明＞【００９５】
本実施例の、ＡＶラックシステムによってＡＶラックに備えられた付属機器を収納スペースに収納されている電子機器を操作するのと同様に付属機器の操作が可能となる。【００９６】
≪実施例４≫【００９７】
＜概要＞【００９８】
本実施例は、実施例３を基本として収納スペースに収納された電子機器を特定の操作をすることにより、その操作に応じて付属機器等を連動させて動作させることを定義することが可能であることを特徴としている。そして、定義した情報を利用することによって、ＡＶラックに収納された電子機器の操作に応じて付属機器等を連動させて動作することが可能であることを特徴としている。【００９９】
＜機能的構成＞【０１００】
図２２は、本実施例のＡＶラックシステムにおける機能と構成の一例を表す図である。この図にあるように本実施例は、実施例３を基本として、「付属機器操作信号取得部」（２２１５）が、「操作信号テーブル保持手段」（２２１７）と「テーブル取得手段」（２２１８）とを新たに有することを特徴としている。【０１０１】
なお、本実施例においては実施例３にて説明した構成についての詳細な説明は省略し、本実施例において特徴的な箇所についてのみ説明する。【０１０２】
「操作信号テーブル保持手段」（２２１７）は、電子機器操作信号に応じて付属機器操作信号を定めた操作信号テーブルを保持する機能を有する。具体的には、操作信号に含まれる電子機器操作信号の内容に応じて他属機器等の動作を保存しているという具合である。（例えば、「ＤＶＤレコーダー」が「トレイオープン」という操作信号を受けた場合、「１．扉開放」「２．トレイオープン」というように動作するような流れを保存しているということである。）ここで、テーブルに保持する対象は電子機器の電子機器操作信号であってもよい。例えば、ＤＶＤをダビングする際のように、ＶＴＲの録画に連動して、ＤＶＤレコーダーを再生させるようにＶＴＲとＤＶＤレコーダーの電子機器を連動させるように定義してもよいということである。さらに、一つの電子機器操作信号に対して、複数の付属機器等を連動させることとしてもよい。（例えば、「ＤＶＤレコーダー」が「トレイオープン」という操作信号を受けた場合、「１．扉開放」「２．照明点灯」「３．トレイオープン」というように動作するような流れを定義するということである。）【０１０３】
図２３は、実際に保存する付属機器の連動内容を定義するデータ構造の一例を示したものである。図２３に記載のデータ例は、ＸＭＬ形式で記述されている。本データ構造はＩＤをキーに操作対象となる電子機器の「電子機器ＩＤ」とその「操作命令」と付属機器等を連動させる命令が定義される「連動内容」が関連付けられて保存されているという具合である。さらに、「連動内容」には必要に応じて「電子機器操作命令」や、「付属機器操作命令」が関連付けられている「（例えば、「ＩＤ番号」「Ｎｏ1」には「電子機器ＩＤ」＝「２１００」と、「操作命令」＝「トレイオープン」と、「連動内容」が関連付けられている。さらに、「連動内容」はさらに「付属機器操作命令」、「電子機器ＩＤ」＝「２１００」、「操作内容」＝「扉開放」などが関連付けられているという具合である。）ここで、「ＩＤ番号」はただの通番であって、他構成要件に影響を与えない変数である。【０１０４】
「テーブル取得手段」（２２１８）は、取得した電子機器操作信号に応じて操作信号テーブルから付属機器操作信号を取得する機能を有する。具体的には、操作信号に含まれる電子機器操作信号を元に「操作信号テーブル保持手段」（２２１７）を参照し、付属機器操作信号等の取得を行うということである。【０１０５】
図２４は、実際に取得した電子機器ＩＤと操作内容をもとに操作信号テーブルに一致する操作命令を取得するプログラムの一例である。まず、電子機器ＩＤと操作内容が引き渡されたとする（図２４Line３０）。すると、電子機器ＩＤと操作内容をキーに操作信号テールの検索を行い、該当する連動内容を取得する（図２４Line５０）。そして、取得した連動内容を「付属機器操作信号取得部」に引き渡す（図２４Line６０）。【０１０６】
＜ハードウェア構成＞【０１０７】
図２５は、本実施例のＡＶラックシステムにおけるハードウェア構成の一例を表す図である。この図を利用して、本実施例に特徴的な処理について説明する。この図にあるように「ＡＶラックシステム」は実施例３と同様に各種演算処理や制御を行う「ＣＰＵ」（２５０１）と、「主メモリ」（２５０２）と「記憶装置」（２５０３）と「受信部」（２５０４）を備えている。ここでは、実施例３で説明した部分についての詳細な説明は省略することとする。【０１０８】
ここで、ユーザはＡＶラックに収納されているＤＶＤレコーダーのトレイオープンをするとする。ここで、「記憶装置」（２５１３）には、図２３のようにあらかじめデータが登録されていると仮定し以下説明する。まず、電子機器操作信号を含む操作信号（ここでは、ＤＶＤレコーダーのトレイオープン命令を含む信号である）を受信する。次に、操作信号を受信すると、「電子機器操作信号取得プログラム」や「付属機器操作信号取得プログラム」等により電子機器操作信号及び付属機器操作信号などの取得が行われる（ここでは、電子機器操作信号に含まれている電子機器ＩＤ＝「２１００」と操作内容＝「トレイオープン」が取得される）。そして、電子機器操作信号の取得が行われると、「主メモリ」のワーク領域に展開された「信号テーブル検索プログラム」（２５１４）が呼び出される。【０１０９】
呼び出された「信号テーブル検索プログラム」（２５１４）は、取得された電子機器ＩＤ及び操作内容を元に「記憶装置」（２５１３）を検索する。（ここでは、図２３に記載のＩＤ＝「Ｎｏ１」のレコードが検索対象となる。）そして、検索されたレコードの連動内容の取得を行う（ここでは、１．扉を開く２．トレイオープンという命令が取得される）。連動内容が取得されると、「付属機器操作信号送信プログラム」に引き渡され、連動内容の実行が行われる。（実際に扉が開き、トレイオープンされる）【０１１０】
＜処理の流れ＞【０１１１】
図２６は、本実施例のＡＶラックシステムにおける、操作信号の受信から付属機器連動処理まで流れの一例を表すフローチャートである。なお、以下に示すステップは、媒体に記録され、計算機を制御するためのプログラムを構成する処理ステップであってもかまわない。【０１１２】
まず、ＡＶラックが操作信号を受信する（Ｓ２６０１）。操作信号を受信すると、操作信号の判別が行われる（Ｓ２６０２、Ｓ２６０３）。ここで、操作信号が付属機器操作信号である場合、付属機器に該当する制御端子ＩＤの取得が行われる（Ｓ２６０８）。そして、制御端子ＩＤが取得されると、付属機器操作命令の取得が行われる（Ｓ２６０９）。最後に、命令が取得されると制御端子ＩＤが示す付属機器に対して取得した付属機器操作命令の配信を行う（Ｓ２６１０）。【０１１３】
次に、操作信号が電子機器を操作する信号である場合、まず電子機器に該当する電子機器ＩＤの取得が行われる（Ｓ２６０４）。そして、電子機器ＩＤが取得されると、電子機器ＩＤを元に該当するコネクトＩＤの特定が行われる（Ｓ２６０５）。コネクトＩＤが特定されると、電子機器操作命令が取得される（Ｓ２６０６）。そして、取得した電子機器操作命令の内容で操作信号テーブルを検索する（Ｓ２６１１）。ここで、検索の結果、該当がある場合には信号テーブルに保存されている連動内容の取得が行われる（Ｓ２６１２）。そして、取得した連動内容に従い実行する（Ｓ２６１３）。最後に、特定されたコネクトＩＤに対して電子機器操作命令を送信する（Ｓ２６０７）。なお、検索の結果、該当がない場合には、特定されたコネクトＩＤに対して電子機器操作命令を送信するだけとなる（Ｓ２６０７）。【０１１４】
＜効果の簡単な説明＞【０１１５】
本実施例の、ＡＶラックシステムによってユーザが送信する操作命令によって、操作命令に関連付けられて登録されている付属機器操作命令を実行させることが可能となる。したがって、ＡＶラックシステムをユーザの操作に応じて照明を点灯するなどの演出が可能となる。
【図面の簡単な説明】
【０１１６】
【図１】実施例１のＡＶラックシステムの一例を表す構成図
【図２】実施例１のＡＶラックシステムの電子機器ＩＤ保持部におけるコネクトＩＤと電子機器ＩＤを関連付けて保存するデータ構造の一例を表す図
【図３】実施例１のＡＶラックシステムの操作信号取得部における受信する操作信号のデータ構造の一例を表す図
【図４】実施例１のＡＶラックシステムの機器選択信号取得部における機器選択信号を取得するためのプログラムの一例を表す図
【図５】実施例１のＡＶラックシステムの通信コネクトＩＤ取得部における受信した機器選択信号をもとにコネクトＩＤを取得するためのプログラムの一例を表す図
【図６】実施例１のＡＶラックシステムの電子機器操作信号取得部における操作信号より、電子機器操作信号を取得するためのプログラムの一例を表す図
【図７】実施例１のＡＶラックシステムのハードウェア構成の一例を表す図
【図８】実施例１のＡＶラックシステムにおける操作信号の受信から操作命令の配信処理までの流れの一例を表すフローチャート
【図９】実施例２のＡＶラックシステムの一例を表す構成図
【図１０】実施例２のＡＶラックシステムの機器情報取得部における収納されている機器情報を取得するためのプログラムの一例を表す図
【図１１】実施例２のＡＶラックシステムの機器情報保持部における電子機器ＩＤと機器情報とを関連づけて保存するデータ構造の一例を表す図
【図１２】実施例２のＡＶラックシステムの機器情報選択手段における選択画面の一例を表す図
【図１３】実施例２のＡＶラックシステムの機器情報コネクトＩＤ取得手段における受け取った機器情報を元にコネクトＩＤを取得するプログラムの一例を表す図
【図１４】実施例２のＡＶラックシステムのハードウェア構成の一例を表す図
【図１５】実施例２のＡＶラックシステムにおける選択画面の出力から操作命令の配信処理まで流れの一例を表すフローチャート
【図１６】実施例３のＡＶラックシステムの一例を表す構成図
【図１７】実施例３のＡＶラックシステムの制御端子ＩＤ保持部におけるコネクトＩＤと制御端子ＩＤを関連付けて保存するデータ構造の一例を表す図
【図１８】実施例３のＡＶラックシステムの付属機器操作信号取得部における操作信号より、付属機器操作信号を取得するためのプログラムの一例を表す図
【図１９】実施例３のＡＶラックシステムの付属機器操作信号送信部における取得した電子機器ＩＤより制御端子ＩＤを特定し、特定された制御端子ＩＤを持つ付属機器に対して付属機器操作信号を送信するためのプログラムの一例を表す図
【図２０】実施例３のＡＶラックシステムのハードウェア構成の一例を表す図
【図２１】実施例３のＡＶラックシステムにおけるＡＶラックシステムにおける操作信号の受信から付属機器操作命令の配信処理まで流れの一例を表すフローチャート
【図２２】実施例４のＡＶラックシステムの一例を表す構成図
【図２３】実施例４のＡＶラックシステムの操作信号保持手段における保存する付属機器の連動内容を定義するデータ構造の一例を表す図
【図２４】実施例４のＡＶラックシステムのテーブル取得手段における取得した電子機器ＩＤと操作内容をもとに操作信号テーブルに一致する操作命令を取得するプログラムの一例を表す図
【図２５】実施例４のＡＶラックシステムのハードウェア構成の一例を表す図
【図２６】実施例４のＡＶラックシステムにおける、操作信号の受信から付属機器連動処理まで流れの一例を表すフローチャート
【符号の説明】
【０１１７】
０１０１  ＡＶラック
０１０２  収納スペース
０１０３  通信接続部
０１０４  電子機器ＩＤ保持部
０１０５  通信コネクトＩＤ取得保持部
０１０６  操作信号取得部
０１０７  機器選択信号取得部
０１０８  電子機器操作信号取得部
０９０９  機器情報取得部
０９１０  機器情報保持部
０９１１  機器情報選択手段
０９１２  機器情報コネクトＩＤ取得手段
１６１３  収納スペース付属機器
１６１４  制御端子ＩＤ保持部
１６１５  付属機器操作信号取得部
１６１６  付属機器操作信号送信部
２２１７  操作信号テーブル保持手段
２２１８  テーブル取得手段
【図１】
2009122611.tif 000003
【図２】
2009122611.tif 000004
【図３】
2009122611.tif 000005
【図４】
2009122611.tif 000006
【図５】
2009122611.tif 000007
【図６】
2009122611.tif 000008
【図７】
2009122611.tif 000009
【図８】
2009122611.tif 000010
【図９】
2009122611.tif 000011
【図１０】
2009122611.tif 000012
【図１１】
2009122611.tif 000013
【図１２】
2009122611.tif 000014
【図１３】
2009122611.tif 000015
【図１４】
2009122611.tif 000016
【図１５】
2009122611.tif 000017
【図１６】
2009122611.tif 000018
【図１７】
2009122611.tif 000019
【図１８】
2009122611.tif 000020
【図１９】
2009122611.tif 000021
【図２０】
2009122611.tif 000022
【図２１】
2009122611.tif 000023
【図２２】
2009122611.tif 000024
【図２３】
2009122611.tif 000025
【図２４】
2009122611.tif 000026
【図２５】
2009122611.tif 000027
【図２６】
2009122611.tif 000028
【手続補正書】
【提出日】平成22年9月29日(2010.9.29)
【手続補正１】
【補正対象書類名】特許請求の範囲
【補正対象項目名】全文
【補正方法】変更
【補正の内容】
【特許請求の範囲】
【請求項１】
複数の電子機器の収納スペースと、
収納スペースごとに配置されるべき電子機器が操作信号の送受信に利用するＩＤの識別と関連付けられた通信接続部と、
前記通信接続部のコネクトＩＤと、そのコネクトＩＤを利用する電子機器を識別する電子機器ＩＤと、を関連付けて保持する電子機器ＩＤ保持部と、
操作信号取得部と、
電子機器ＩＤと関連付けられた機器選択信号を取得する機器選択信号取得部と、
取得した機器選択信号に関連付けられている電子機器ＩＤをキーとして電子機器ＩＤ保持部を検索し、操作信号の送信先となる通信接続部のコネクトＩＤを、取得して保持する通信コネクトＩＤ取得保持部と、
保持されているコネクトＩＤに対して送信すべき操作信号を受信する電子機器操作信号取得部と、
有するＡＶラックシステムと、
前記収納スペースに収納された電子機器と、
からなるＡＶシステム。
【請求項２】
前記ＡＶラックシステムは、
通信接続部に接続された電子機器から機器種別を少なくとも含む機器情報を電子機器ＩＤと関連付けて取得する機器情報取得部と、
取得した機器情報と、電子機器ＩＤとを関連付けて保持する機器情報保持部と、をさらに有し、
機器選択信号取得部は、
機器情報保持部に保持されている機器情報と関連付けて機器選択情報を取得する機器情報選択手段を有し、
通信コネクトＩＤ取得部は、
機器情報選択手段に選択された機器情報に応じて機器情報保持部から取得する電子機器ＩＤを利用してコネクトＩＤを取得する機器情報コネクトＩＤ取得手段を有する請求項１に記載のＡＶシステム。
【請求項３】
前記ＡＶラックシステムは、
収納スペースごとに備えられる収納スペース付属機器と、
収納スペース付属機器の制御端子ＩＤと収納スペースに対応した前記コネクトＩＤとを関連付けて保持する制御端子ＩＤ保持部と、
収納スペース付属機器に対する操作信号を取得する付属機器操作信号取得部と、
コネクトＩＤ取得部が取得したコネクトＩＤと関連付けられている制御端子ＩＤを制御端子ＩＤ保持部から取得して、取得した制御端子ＩＤで識別される制御端子に対して取得した付属機器操作信号を送信する付属機器操作信号送信部と、
をさらに有する請求項１又は２に記載のＡＶシステム。
【請求項４】
前記ＡＶラックシステムの付属機器操作信号取得部は、
電子機器操作信号に応じて付属機器操作信号を定めた操作信号テーブルを保持する操作信号テーブル保持手段と、
取得した電子機器操作信号に応じて操作信号テーブルから付属機器操作信号を取得するテーブル取得手段と、
を有する請求項１から３のいずれか一に記載のＡＶシステム。
【請求項５】
前記付属機器は、収納スペースごとの照明装置である請求項２または３に記載のＡＶシステム。
【請求項６】
前記付属機器は、収納スペースごとの扉開閉モータである請求項２から４のいずれか一に記載のＡＶシステム。
【請求項７】
前記収納スペースに備えられた電子機器とＡＶラックシステムとは、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格に準拠したケーブルで接続され、通信信号はＣＥＣ（Ｃｏｎｓｕｍｅｒ  Ｅｌｅｃｔｒｏｎｉｃｓ  Ｃｏｎｔｒｏｌ）規格に準拠した信号を用いる請求項１から６のいずれか一に記載のＡＶシステム。
【請求項８】
前記収納スペースに備えられた電子機器とＡＶラックシステムとは、無線通信で接続されている請求項１から６のいずれか一に記載のＡＶシステム。
【請求項９】
請求項１から８のいずれか一に記載のＡＶラックシステム。
【請求項１０】
請求項１から８のいずれか一に記載のＡＶシステムに電子機器として接続されたテレビ装置。
【請求項１１】
請求項１から８のいずれか一に記載のＡＶシステムに電子機器として接続されたカーナビゲーション装置。
【国際調査報告】
2009122611.tif 000029
2009122611.tif 000030
2009122611.tif 000031
2009122611.tif 000032